(57)【要約】【課題】複数の情報処理装置に対して、それらの装置に応じた好適な電源制御を行うことが可能な電源制御装置を提供する。【解決手段】電源制御装置１００において、情報取得部１１０は、制御対象の各情報処理装置を指定するための装置識別情報と、指定した情報処理装置に対する電源の投入または切断のいずれかの切り換え動作を要求するための動作識別情報とを、ネットワークを通じて取得する。切り換え制御部１２０は、取得した装置識別情報に基づいて情報処理装置を特定し、特定した情報処理装置に対して動作識別情報に基づく切り換え動作を実行するように電源供給切り換え部１５０を制御する。これにより、電源供給切り換え部１５０は、指定された情報処理装置に対して、動作識別情報による指定に従って電源の投入または切断の切り換え動作を個別に実行する。【選択図】        図１
2004259030.tif 000002
【特許請求の範囲】
【請求項１】
複数の情報処理装置に対する電源供給を制御する電源制御装置において、
前記各情報処理装置に対する電源の投入および切断を個別に切り換える電源供給切り換え部と、
前記各情報処理装置を指定するための装置識別情報と、指定した前記情報処理装置に対する電源の投入または切断のいずれかの切り換え動作を要求するための動作識別情報とを、ネットワークを通じて取得する情報取得部と、
取得した前記装置識別情報に基づいて前記情報処理装置を特定し、特定した前記情報処理装置に対して前記動作識別情報に基づく切り換え動作を実行するように前記電源供給切り換え部を制御する切り換え制御部と、
を有することを特徴とする電源制御装置。
【請求項２】
前記装置識別情報および前記動作識別情報は、前記複数の情報処理装置のうちのいずれかから前記ネットワークを通じて送信されることを特徴とする請求項１記載の電源制御装置。
【請求項３】
前記情報取得部は、前記装置識別情報および前記動作識別情報とともに、前記動作識別情報に基づく切り換え動作を実行させる時刻を指定するための時刻指定情報を取得し、
前記切り換え制御部は、前記時刻指定情報で指定された時刻において、指定された前記情報処理装置に対する前記動作識別情報に基づく切り換え動作を前記電源供給切り換え部に実行させることを特徴とする請求項１記載の電源制御装置。
【請求項４】
複数の情報処理装置と、前記各情報処理装置に対する電源供給を制御する電源制御装置とからなる電源供給システムにおいて、
前記各情報処理装置と前記電源制御装置とがネットワークを介して相互に接続され、
前記電源制御装置は、
前記各情報処理装置を指定するための装置識別情報と、指定した前記情報処理装置に対する電源の投入または切断のいずれかの切り換え動作を要求するための動作識別情報とを、前記ネットワークを通じて取得する情報取得部と、
取得した前記装置識別情報に基づいて前記情報処理装置を特定し、特定した前記情報処理装置に対して前記動作識別情報に基づく切り換え動作を実行するように前記電源供給切り換え部を制御する切り換え制御部と、
を有し、
前記複数の情報処理装置のうちの少なくとも１つであるホスト装置は、
前記ホスト装置と連動させて電源を投入させる他の前記情報処理装置を指定するための連動装置識別情報と、前記ホスト装置への電源投入から、前記連動装置識別情報で指定した情報処理装置へ電源を投入するまでの時間間隔を指定する間隔指定情報とを、利用者の入力に応じて設定する連動装置設定部と、
前記ホスト装置に対して電源が投入された後、前記間隔指定情報により指定された時間間隔が経過すると、前記装置識別情報として前記連動装置識別情報で指定した情報処理装置を指定し、前記動作識別情報として電源投入を指定して、指定した前記装置識別情報および前記動作識別情報を前記電源制御装置に前記ネットワークを通じて送信する切り換え動作要求部と、
を有することを特徴とする電源制御システム。
【請求項５】
ネットワークに接続した複数の情報処理装置に対する電源供給を制御するための電源制御方法において、
前記各情報処理装置を指定するための装置識別情報と、指定した前記情報処理装置に対する電源の投入または切断のいずれかの切り換え動作を要求するための動作識別情報とを、前記複数のうちのいずれかの情報処理装置からネットワークを通じて取得し、
取得した前記装置識別情報によって指定された前記情報処理装置に対して、前記動作識別情報に基づいて電源の投入または切断を行う、
ことを特徴とする電源制御方法。
【発明の詳細な説明】
【０００１】
【発明の属する技術分野】
本発明は、複数の情報処理装置に対する電源供給を制御するための電源制御装置、電源制御システム、および電源制御方法に関する。
【０００２】
【従来の技術】
近年では、ネットワークにより複数台のコンピュータやそれらの周辺機器が接続されて使用されることが多く、これらの機器の電源管理を効率的に行うことが求められており、このための電源制御装置が開発されている。
【０００３】
図１３は、電源制御装置を用いた従来の電源制御システムの構成例を示す図である。
図１３に示すように、従来の電源制御システムでは、例えばＬＡＮ（Ｌｏｃａｌ  Ａｒｅａ  Ｎｅｔｗｏｒｋ）等のネットワーク４００に接続された複数のホスト機器５０１〜５０３のそれぞれに対して、これらへの電源供給を個別に制御する電源制御装置６０１〜６０３が設けられていた。また、各電源制御装置６０１〜６０３もネットワーク４００に接続されており、各ホスト機器５０１〜５０３は、対応する電源制御装置６０１〜６０３に対して、ネットワーク４００を通じて自身の電源供給の切断を要求することができる。
【０００４】
しかし、このようなシステムの場合、管理対象としたホスト機器が増加するのに従って、電源制御装置の設置数も多くなってしまい、コストが上昇するとともに、設置スペースも増大してしまう。また、電源制御装置がネットワークに接続された構成の場合は、ＩＰ（Ｉｎｔｅｒｎｅｔ  Ｐｒｏｔｏｃｏｌ）アドレス等のネットワーク上のアドレスが、設置した電源制御装置の数だけ必要となってしまう。このため、１つの電源制御装置により、複数の機器に対する電源供給を制御可能なシステム形態が求められている。
【０００５】
例えば、従来では、１台のＵＰＳ（Ｕｎｉｎｔｅｒｒｕｐｔｉｂｌｅ  Ｐｏｗｅｒ  Ｓｕｐｐｌｙ：無停電電源装置）により複数の機器の電源をバックアップするとともに、これらの機器とＵＰＳとをネットワークで接続して、電源異常時にこれらの機器をＵＰＳによりネットワークを通じてシャットダウンさせたり、外部にアラーム通知する等の処理が可能なシステムがあった。また、複数の機器への電源端子と通信Ｉ／Ｆとが一体化した電源制御装置を用いるとともに、この電源制御装置から電源供給を受ける機器やネットワーク接続した機器において電源制御ソフトウェアを実行することにより、電源制御装置に接続した機器の電源投入・切断を一括してリモート制御することが可能なシステムがあった。
【０００６】
さらに、複数のターミナルへの電源の投入・切断を個別に切り換えるスイッチを具備するＩ／Ｏボードと、このＩ／Ｏボード上の各スイッチの切り換えを制御するホストコンピュータとから構成され、ホストコンピュータ上で、電源の投入・切断を行うターミナルを指定すると、この指定に基づいて対応するスイッチの切り換えを実行させるような端末の自動立ち上げシステムがあった（例えば、特許文献１参照）。
【０００７】
【特許文献１】
特開平６−３１５２３６号公報（段落番号〔００１５〕〜〔００６１〕、第１図）
【０００８】
【発明が解決しようとする課題】
しかし、上述したＵＰＳや、電源制御ソフトウェアが実行される電源制御装置を用いた従来のシステムでは、接続された複数の機器のすべてに対して、一括して電源の投入・切断を行うものであるため、各機器の電源管理を個別に行うことが不可能であった。従って、例えば、各機器の電源投入スケジュールを個別に設定する、あるいは、各機器がシャットダウンする時間の経過を待って、給電を停止する等の機器に応じた最適な電源管理を行うことができなかった。
【０００９】
一方、上記の特許文献１で開示された自動立ち上げシステムでは、電源の投入・切断を行うＩ／Ｏボードと、これらを制御するホストコンピュータとが個別の装置として設けられており、設置スペースが効率的でない上に、電源の投入・切断を単にスイッチによって個別に切り換えるだけなので、動作（電源投入・切断）のスケジュール設定等の細かい電源管理設定を行うことができなかった。
【００１０】
本発明はこのような課題に鑑みてなされたものであり、複数の情報処理装置に対して、それらの装置に応じた好適な電源制御を行うことが可能な電源制御装置を提供することを目的とする。
【００１１】
また、本発明の他の目的は、複数の情報処理装置に対して、それらの装置に応じた好適な電源制御を行うことが可能な電源制御システムを提供することである。
【００１２】
さらに、本発明の他の目的は、複数の情報処理装置に対するより好適な電源制御を個別に行うことが可能な電源制御方法を提供することである。
【００１３】
【課題を解決するための手段】
本発明では上記課題を解決するために、図１に示すような電源制御装置１００が提供される。この電源制御装置１００は、複数の情報処理装置に対する電源供給を制御するものであり、前記各情報処理装置に対する電源の投入および切断を個別に切り換える電源供給切り換え部１５０と、前記各情報処理装置を指定するための装置識別情報と、指定した前記情報処理装置に対する電源の投入または切断のいずれかの切り換え動作を要求するための動作識別情報とを、ネットワークを通じて取得する情報取得部１１０と、取得した前記装置識別情報に基づいて前記情報処理装置を特定し、特定した前記情報処理装置に対して前記動作識別情報に基づく切り換え動作を実行するように前記電源供給切り換え部１５０を制御する切り換え制御部１２０とを有することを特徴とする。
【００１４】
ここで、情報取得部１１０は、各情報処理装置を指定するための装置識別情報と、指定した情報処理装置に対する電源の投入または切断のいずれかの切り換え動作を要求するための動作識別情報とを、ネットワークを通じて取得する。切り換え制御部１２０は、取得した装置識別情報に基づいて情報処理装置を特定し、特定した情報処理装置に対して動作識別情報に基づく切り換え動作を実行するように電源供給切り換え部１５０を制御する。これにより、電源供給切り換え部１５０は、指定された情報処理装置に対して、動作識別情報による指定に従って電源の投入または切断を個別に行う。
【００１５】
また、情報取得部１１０は、例えば、装置識別情報および動作識別情報とともに、動作識別情報に基づく切り換え動作を実行させる時刻を指定するための時刻指定情報を取得してもよい。この場合、切り換え制御部１２０は、時刻指定情報で指定された時刻において、指定された情報処理装置に対する動作識別情報に基づく切り換え動作を電源供給切り換え部１５０に実行させる。
【００１６】
また、本発明では、複数の情報処理装置と、前記各情報処理装置に対する電源供給を制御する電源制御装置とからなる電源供給システムにおいて、前記各情報処理装置と前記電源制御装置とがネットワークを介して相互に接続され、前記電源制御装置は、前記各情報処理装置を指定するための装置識別情報と、指定した前記情報処理装置に対する電源の投入または切断のいずれかの切り換え動作を要求するための動作識別情報とを、前記ネットワークを通じて取得する情報取得部と、取得した前記装置識別情報に基づいて前記情報処理装置を特定し、特定した前記情報処理装置に対して前記動作識別情報に基づく切り換え動作を実行するように前記電源供給切り換え部を制御する切り換え制御部とを有し、前記複数の情報処理装置のうちの少なくとも１つであるホスト装置は、前記ホスト装置と連動させて電源を投入させる他の前記情報処理装置を指定するための連動装置識別情報と、前記ホスト装置への電源投入から、前記連動装置識別情報で指定した情報処理装置へ電源を投入するまでの時間間隔を指定する間隔指定情報とを、利用者の入力に応じて設定する連動機器設定部と、前記ホスト装置に対して電源が投入された後、前記間隔指定情報により指定された時間間隔が経過すると、前記装置識別情報として前記連動装置識別情報で指定した情報処理装置を指定し、前記動作識別情報として電源投入を指定して、指定した前記装置識別情報および前記動作識別情報を前記電源制御装置に前記ネットワークを通じて送信する切り換え動作要求部とを有することを特徴とする電源制御システムが提供される。
【００１７】
ここで、複数の情報処理装置のうちの少なくとも１つであるホスト装置において、連動機器設定部は、このホスト装置と連動させて電源を投入させる他の情報処理装置を指定するための連動装置識別情報と、ホスト装置への電源投入から、連動させる情報処理装置へ電源を投入するまでの時間間隔を指定する間隔指定情報とを、利用者の入力に応じて設定する。切り換え動作要求部は、ホスト装置に対して電源が投入された後、間隔指定情報により指定された時間間隔が経過すると、切り換え動作の制御対象の各情報処理装置を指定するための装置識別情報として連動装置識別情報で指定した情報処理装置を指定し、この装置に対して切り換え動作を要求するための動作識別情報として電源投入を指定して、これらの装置識別情報および動作識別情報を電源制御装置にネットワークを通じて送信する。
【００１８】
一方、電源制御装置において、情報取得部は、ホスト装置からの装置識別情報および動作識別情報とを取得する。切り換え制御部は、取得した装置識別情報に基づいて情報処理装置を特定し、特定した情報処理装置に対して動作識別情報に基づく切り換え動作を実行するように電源供給切り換え部を制御する。電源供給切り換え部は、指定された情報処理装置に対して、動作識別情報による指定に従って電源の投入または切断を個別に行う。
【００１９】
従って、例えば電源制御装置の制御等により、ホスト装置の電源が投入された後、ホスト装置からは、所定の時間間隔を空けて、このホスト装置に連動させるべき他の情報処理装置の電源を投入する要求が電源制御装置に対して発せられ、この要求に応じて、指定された他の情報処理機器への電源投入が順次行われる。
【００２０】
さらに、本発明では、ネットワークに接続した複数の情報処理装置に対する電源供給を制御するための電源制御方法において、前記各情報処理装置を指定するための装置識別情報と、指定した前記情報処理装置に対する電源の投入または切断のいずれかの切り換え動作を要求するための動作識別情報とを、前記複数のうちのいずれかの情報処理装置からネットワークを通じて取得し、取得した前記装置識別情報によって指定された前記情報処理装置に対して、前記動作識別情報に基づいて電源の投入または切断を行うことを特徴とする電源制御方法が提供される。
【００２１】
このような電源制御方法では、各情報処理装置を指定するための装置識別情報と、指定した情報処理装置に対する電源の投入または切断のいずれかの切り換え動作を要求するための動作識別情報とが、いずれかの情報処理装置からネットワークを通じて取得される。そして、取得した装置識別情報によって指定された情報処理装置に対して、動作識別情報に基づく電源の投入または切断の動作が個別に行われる。
【００２２】
【発明の実施の形態】
以下、本発明の実施の形態を図面を参照して説明する。
まず、第１の実施の形態例として、Ｗｅｂサーバを中心としてインターネット上の端末に各種のサービスを提供するシステムを想定し、このシステムに本発明を適用して、システム上の各サーバに対する電源制御を行う場合について説明する。
【００２３】
図２は、本発明の第１の実施の形態に係る電源制御システムのシステム構成例を示す図である。
図２に示す電源制御システムは、電源制御装置１００と、制御ホスト装置２００と、Ｗｅｂサーバ３１０と、アプリケーションサーバ３２０と、データベース（ＤＢ）サーバ３３０とが、例えばＬＡＮ等によってなるネットワーク４００を通じて相互に接続された構成を有している。
【００２４】
電源制御装置１００は、Ｗｅｂサーバ３１０、アプリケーションサーバ３２０およびデータベースサーバ３３０に対して、電源ケーブル３１０ａ、３２０ａおよび３３０ａを介して電源を供給する。また、ネットワーク４００を通じて受信した設定に基づいて、これらへの電源の投入および切断を制御する。
【００２５】
制御ホスト装置２００は、オペレータによる入力に応じて、ネットワーク４００を通じて電源制御装置１００と通信し、Ｗｅｂサーバ３１０、アプリケーションサーバ３２０およびデータベースサーバ３３０に対する電源の投入および切断の要求や、これらの動作時刻の予約設定を行う。
【００２６】
Ｗｅｂサーバ３１０は、例えばゲートウェイ（図示せず）を介して接続されたインターネット（図示せず）を通じて、ＷＷＷ（Ｗｏｒｌｄ  Ｗｉｄｅ  Ｗｅｂ）ドキュメントを提供する処理を行うサーバ装置である。また、アプリケーションサーバ３２０は、インターネットを通じて各種サービスの提供を行うためのアプリケーションを実行するサーバ装置である。さらに、データベースサーバ３３０は、アプリケーションサーバ３２０におけるアプリケーションの実行時に参照される各種のデータを蓄積するサーバ装置である。
【００２７】
例えば、Ｗｅｂサーバ３１０は、インターネットを通じて接続されたユーザ端末に対してＷＷＷドキュメントを提供し、ユーザ端末からの要求に応じて、アプリケーションサーバ３２０に対して必要な処理の実行をネットワーク４００を通じて要求する。アプリケーションサーバ３２０は、Ｗｅｂサーバ３１０からの要求に応じて、必要なアプリケーションを実行する。このとき、ネットワーク４００を通じてデータベースサーバ３３０から必要なデータを読み出し、処理結果をネットワーク４００を通じてＷｅｂサーバ３１０に出力する。Ｗｅｂサーバ３１０は、受け取った処理結果を基にＷＷＷドキュメントを生成し、インターネットを通じてユーザ端末に提供する。
【００２８】
なお、Ｗｅｂサーバ３１０、アプリケーションサーバ３２０およびデータベースサーバ３３０は、それぞれ電源ケーブル３１０ａ、３２０ａおよび３３０ａからの電源供給が開始されると、自動的にＢＩＯＳ（Ｂａｓｉｃ  Ｉｎｐｕｔ  Ｏｕｔｐｕｔ  Ｓｙｓｔｅｍ）セットアッププログラムが実行されて、システムが起動される。また、ネットワーク４００を通じて受信した制御信号に応じて、システムをシャットダウンすることが可能となっている。
【００２９】
次に、図１は、電源制御装置１００の内部構成を示すブロック図である。
電源制御装置１００は、図１に示すように、情報取得部１１０、切り換え制御部１２０、予約管理部１３０、情報記憶部１４０、電源供給切り換え部１５０およびシャットダウン処理部１６０を具備する。また、情報記憶部１４０には、装置対応テーブル１４１および予約情報テーブル１４２が格納される。さらに、電源供給切り換え部１５０には、バッテリ１５０ａおよびコンセント端子１５１〜１５５が接続されている。
【００３０】
情報取得部１１０は、ネットワーク４００を通じて制御ホスト装置２００等の外部の装置との間で通信を行い、電源の投入や切断に関する設定情報を取得する。この設定情報としては、設定対象の装置を指定する装置識別情報、設定する動作の種類を識別する動作識別情報、および動作させる時刻を指定する時刻指定情報が使用される。情報取得部１１０は、取得した設定情報に時刻指定情報が含まれない場合は、切り換え制御部１２０に対して取得した設定情報を供給する。また、時刻指定情報を含む場合は、取得した設定情報を予約管理部１３０に供給する。
【００３１】
切り換え制御部１２０は、情報取得部１１０または予約管理部１３０から設定情報を受け取り、情報記憶部１４０に格納された装置対応テーブル１４１を参照して、設定対象の装置に対応するコンセント端子１５１〜１５５を特定する。そして、特定したその端子番号と動作の種類の識別とを示す制御信号を電源供給切り換え部１５０に出力して、設定情報に従った動作を行うように指示する。また、電源の切断を指示する場合は、必要に応じて、対応する装置をシャットダウンさせるようにシャットダウン処理部１６０に指示する。
【００３２】
予約管理部１３０は、情報取得部１１０から設定情報を受け取り、情報記憶部１４０の予約情報テーブル１４２に格納して、予約設定を行う。また、時刻をカウントし、時刻指定情報で指定された時刻に達したときに、対応する設定情報を予約情報テーブル１４２から読み出して、切り換え制御部１２０に出力する。
【００３３】
情報記憶部１４０は、例えばハードディスクドライブや半導体メモリ等によって構成される。情報記憶部１４０には、装置識別情報と、電源供給切り換え部１５０のコンセント端子１５１〜１５５との対応関係を示す装置対応テーブル１４１が、あらかじめ設定される。また、予約管理部１３０からの設定情報が予約情報テーブル１４２に順次格納され、予約された時刻にその設定情報が予約管理部１３０に読み出される。
【００３４】
電源供給切り換え部１５０は、外部からの交流電源電圧を、バッテリ１５０ａを介してコンセント端子１５１〜１５５に通電し、外部の装置に供給する。この電源供給切り換え部１５０は、切り換え制御部１２０からの制御信号に応じて、電源の投入および切断をコンセント端子１５１〜１５５ごとに個別に切り換える。なお、図１では、例として５個のコンセント端子１５１〜１５５を設けているが、端子数はこれに限らない。
【００３５】
なお、バッテリ１５０ａを設けずに、外部からの交流電源電圧が電源供給切り換え部１５０に直接供給されてもよい。ただし、バッテリ１５０ａを設けることにより、外部からの電源供給に異常が発生した場合には、バッテリ１５０ａからの電源を一定時間各コンセント端子１５１〜１５５に供給し続け、接続された装置のシャットダウン処理を可能にする。これにより、電源制御装置１００はＵＰＳとして機能する。
【００３６】
シャットダウン処理部１６０は、切り換え制御部１２０からの指示に応じて、対応する装置とネットワーク４００を通じて通信し、この装置に対してシャットダウンするように指示する。
【００３７】
このような電源制御装置１００は、電源の投入や切断の切り換え動作に対する設定情報を、ネットワーク４００を通じて外部の装置から取得し、この設定情報に基づいて指定された装置に対する電源の切り換え動作を行う。このために、電源制御装置１００では、電源供給先の各装置からの電源ケーブルを各コンセント端子１５１〜１５５に接続する際に、各コンセント端子１５１〜１５５と、各端子から電源を供給する装置を識別するための装置識別情報との対応関係が、装置対応テーブル１４１においてあらかじめ設定される。これにより、外部の装置から装置識別情報を指定することで、電源ケーブルで接続された各装置に対する電源の切り換え動作を個別に制御することが可能となる。
【００３８】
ここで、図３は、装置対応テーブル１４１に格納されるデータの例を示す図である。
図３では、装置識別情報として、“サーバＡ”“サーバＢ”“サーバＣ”といった装置名が使用され、装置対応テーブル１４１では、これらの装置名と、各装置からの電源ケーブルを接続したコンセント番号とが対応付けられている。このような装置対応テーブル１４１の設定は、例えば、オペレータにより電源制御装置１００に設けられた図示しない入力装置を用いて行われる。あるいは、制御ホスト装置２００等の外部の装置からネットワーク４００を通じて設定されてもよい。
【００３９】
なお、本実施の形態では例として、“サーバＡ”“サーバＢ”“サーバＣ”がＷｅｂサーバ３１０、アプリケーションサーバ３２０、データベースサーバ３３０にそれぞれ対応し、また、コンセント番号“１”〜“５”がコンセント端子１５１〜１５５にそれぞれ対応するものとする。
【００４０】
次に、制御ホスト装置２００から、各サーバに対する電源制御設定を行う処理について説明する。
図４は、制御ホスト装置２００における電源制御の設定画面の表示例を示す図である。
【００４１】
図４において、画面２１０は、電源制御の設定を行うためのメイン画面であり、制御対象の全装置名とそれらの現在の運転状況が一覧表示されるとともに、各装置に対する操作を設定するためのアイコンが表示されている。図４では例として、Ｗｅｂサーバ３１０に現在電源が投入され、このサーバが運転中であることが表示されている。また、このＷｅｂサーバ３１０に対して、アイコン２１１〜２１３により、電源を即時切断する操作、起動すなわち電源の投入を行う時刻を予約する操作、停止すなわち電源の切断を行う時刻を予約する操作がそれぞれ可能となっている。同様に、現在停止中のアプリケーションサーバ３２０に対しては、アイコン２１４〜２１６により、電源の即時投入、電源投入時刻の予約、切断時刻の予約をそれぞれ行うことが可能となっている。
【００４２】
ここで、例えばアイコン２１１がクリック操作された場合、制御ホスト装置２００は、装置識別情報としてＷｅｂサーバ３１０を示すサーバＡを、動作識別情報として電源切断を示す識別子をそれぞれ設定して、電源制御装置１００に対して送信する。また、アイコン２１４がクリック操作された場合、装置識別情報および動作識別情報として、アプリケーションサーバ３２０を示すサーバＢ、電源投入を示す識別子をそれぞれ設定して送信する。
【００４３】
また、アイコン２１２がクリック操作された場合は、画面２２０を例えば重ねて表示する。この画面２２０は、装置を起動させる時刻を設定するためのウィンドウで、数字キー等により予約日時が入力された後、ボタン２２１がクリック操作されることで、表示が終了される。これとともに、入力された予約日時を時刻指定情報に設定し、装置識別情報および動作識別情報として、サーバＡ、電源投入を示す識別子をそれぞれ設定して、これらの設定情報を電源制御装置１００に送信する。なお、アイコン２１３がクリック操作された場合にも同様に予約時刻の設定画面を表示し、入力された時刻を時刻指定情報に設定して、装置識別情報および動作識別情報とともに送信する。
【００４４】
なお、以上のような電源制御設定の処理は、制御ホスト装置２００に限らず、Ｗｅｂサーバ３１０やアプリケーションサーバ３２０、データベースサーバ３３０等、ネットワーク４００に接続された外部の装置において実行することも可能である。
【００４５】
ここで、設定情報として装置識別情報および動作識別情報のみ電源制御装置１００に送信された場合は、電源制御装置１００では、情報取得部１１０で取得されたこれらの情報が切り換え制御部１２０に引き渡され、指定された電源の切り換え動作が行われる。以下、このときの電源制御装置１００における処理について、フローチャートを用いて説明する。
【００４６】
図５は、電源の投入または切断を即時行うように指示された場合の電源制御装置１００の処理の流れを示すフローチャートである。
ステップＳ５０１において、情報取得部１１０は、ネットワーク４００を通じて、設定情報として装置識別情報および動作識別情報を取得する。情報取得部１１０は、取得したこれらの情報を切り換え制御部１２０に引き渡す。
【００４７】
ステップＳ５０２において、切り換え制御部１２０は、装置対応テーブル１４１を参照し、情報取得部１１０からの装置識別情報に対応するコンセント番号を特定する。
【００４８】
ステップＳ５０３において、切り換え制御部１２０は、動作識別情報に基づいて、指定された切り換え動作の種別を識別する。ここで、電源の投入が指定されていた場合はステップＳ５０４に進み、電源の切断が指定されていた場合はステップＳ５０５に進む。
【００４９】
ステップＳ５０４において、切り換え制御部１２０は、電源供給切り換え部１５０に対して制御信号を出力し、特定したコンセント番号と、切り換え動作の種別として電源の投入を示す情報を通知する。電源供給切り換え部１５０は、切り換え制御部１２０からの制御信号に基づき、通知されたコンセント番号に対応するコンセント端子への通電を開始する。これにより、指定された装置に対して電源が投入される。例えば、コンセント番号“１”が通知された場合、コンセント端子１５１からの通電が開始される。この処理により電源が投入されたＷｅｂサーバ３１０は、自動的に起動する。
【００５０】
また、電源の切断が指示されていた場合は、ステップＳ５０５において、切り換え制御部１２０は、装置識別情報で識別される装置をシャットダウンするように、シャットダウン処理部１６０に指示する。シャットダウン処理部１６０はこの指示に応じて、対応する装置に対してシャットダウンを指示するための制御信号をネットワーク４００を通じて送信する。この制御信号を受信した装置は、自動的にシャットアウト処理を行う。
【００５１】
ステップＳ５０６において、シャットダウンに必要な所定の時間をカウントし、その時間が経過したとき、ステップＳ５０７に進む。ステップＳ５０７において、切り換え制御部１２０は、電源供給切り換え部１５０に対して制御信号を出力し、特定したコンセント番号と、切り換え動作の種別として電源の切断を示す情報を通知する。電源供給切り換え部１５０は、切り換え制御部１２０からの制御信号に基づき、通知されたコンセント番号に対応するコンセント端子への通電を停止する。
【００５２】
これらのステップＳ５０６および５０７の処理により、制御対象の装置において確実なシャットアウト処理が行われた後、電源の供給が停止される。ステップＳ５０６でカウントされる時間は、例えば装置識別情報に応じて設定されていてもよい。なお、制御対象の装置が、電源制御装置１００以外からの指示に応じてシャットダウン処理を行うような構成の場合は、ステップＳ５０５およびＳ５０６の処理は行われない。
【００５３】
一方、設定情報として装置識別情報、動作識別情報および時刻指定情報が電源制御装置１００に送信された場合は、電源制御装置１００では、取得されたこれらの情報が、予約管理部１３０の処理により予約情報テーブル１４２に格納される。
【００５４】
図６は、予約情報テーブル１４２に格納されるデータの例を示す図である。
図６において、例えば１行目では、時刻指定情報により“２００２年１２月１９日２０時００分”が指定され、動作識別情報として電源の切断を示す“ＯＦＦ”が指定され、装置識別情報として“サーバＡ”が指定されている。すなわち、これらの情報により、２００２年１２月１９日２０時００分に、Ｗｅｂサーバ３１０に対する電源供給を切断するように予約設定される。
【００５５】
予約管理部１３０は、予約情報テーブル１４２において１つでも予約が設定されている場合は、以下のフローチャートに示す処理を実行する。
図７は、電源の投入または切断の予約が設定されている場合の電源制御装置１００の処理の流れを示すフローチャートである。
【００５６】
ステップＳ７０１において、予約管理部１３０は、時刻をカウントする。そして、ステップＳ７０２において、予約管理部１３０は、予約情報テーブル１４２に格納された時刻指定情報を参照して、この時刻に予約設定された設定情報があるか否かを判断する。ある場合は、その設定情報の１つを抽出して切り換え制御部１２０に出力し、ステップＳ７０３に進む。また、ない場合は、ステップＳ７０９に進む。
【００５７】
ステップＳ７０３〜Ｓ７０８に示す処理は、上記の図５におけるステップＳ５０２〜Ｓ５０７で示した処理と同じである。すなわち、切り換え制御部１２０は、予約管理部１３０から装置識別情報および動作識別情報の供給を受けると、装置対応テーブル１４１を参照して、装置識別情報に対応するコンセント番号を特定し、特定したコンセント番号と、動作識別情報による電源の切り換え動作の種別を電源供給切り換え部１５０に通知する。電源供給切り換え部１５０は、通知されたこれらの情報に応じて、対応するコンセント端子において通電を開始または終了させる。
【００５８】
これらの処理が終了した後、ステップＳ７０２に戻り、同時刻に予約設定された設定情報が他にあるか否かを判断し、すべての設定情報についてステップＳ７０２〜Ｓ７０８での処理を実行する。そして、これらが終了した後、ステップＳ７０９に進む。
【００５９】
ステップＳ７０９において、予約設定を監視する処理を終了するか否かを判定し、終了しない場合のみステップＳ７０１に戻り、時刻のカウントを続行する。また、例えば予約情報テーブル１４２に設定情報がない場合に、処理を終了する。
【００６０】
以上の処理により、電源制御装置１００は、制御ホスト装置２００からの設定情報に応じて、コンセント端子１５１〜１５５に接続された各装置への電源投入および切断の切り換え動作を、装置ごとに個別に制御する。従って、１台の電源制御装置１００を用いて複数の装置の電源制御を統括的に行うことができ、電源制御装置１００の装置コストや設置スペースが抑制される。これとともに、電源制御装置１００へ割り当てが必要なネットワーク上のアドレスの数が減少する。
【００６１】
また、この電源制御装置１００に対して、ネットワーク４００を通じて外部の装置から設定を行うことで、各装置に対する電源の切り換え動作を個別に遠隔制御することができるので、複数の装置に対する電源制御を効率よく行うことが可能である。さらに、このような電源の切り換え動作を実行させる時刻を予約設定することができるため、各装置に対して最適なタイミングでの電源切り換え動作を効率よく実行させることができる。
【００６２】
例えば、本実施の形態の場合、Ｗｅｂサーバ３１０がアプリケーションサーバ３２０の処理結果を受けて動作し、アプリケーションサーバ３２０がデータベースサーバ３３０のデータを参照して動作する構成となっている。このため、電源の投入は、データベースサーバ３３０、アプリケーションサーバ３２０、Ｗｅｂサーバ３１０の順に行われることが望ましく、電源の切断はこれと逆の順番で行われることが望ましい。また、各サーバにおいて起動やシャットダウンにある程度の時間を要するため、これらの間の電源投入タイミングおよび切断タイミングには、所定の時間間隔が設けられることが望ましい。
【００６３】
ここで、図６に示した予約情報テーブル１４２を参照すると、Ｗｅｂサーバ３１０、アプリケーションサーバ３２０、データベースサーバ３３０に対する電源切断時刻はそれぞれ“２０時００分”“２０時０３分”“２０時０５分”となっており、数分の間隔を空けて順次電源が切断されるように設定されている。また電源投入時刻はそれぞれ翌日の“０７時００分”“０６時５７分”“０６時５５分”となっており、投入時とは逆の順番に電源が投入されるように設定されている。
【００６４】
このように、電源の切り換え動作を実行させる時刻の予約設定が可能となっていることにより、制御対象の装置が異常な動作を起こすことなく、確実でかつ効率のよい電源制御を行うことが可能となる。
【００６５】
ところで、上記の第１の実施の形態において、Ｗｅｂサーバ３１０、アプリケーションサーバ３２０およびデータベースサーバ３３０に対する電源の投入および切断は、常に連動して行われることが望ましい。従って、本実施の形態の場合、このような切り換え動作の曜日ごとのスケジュールをすべて電源制御装置１００に設定し、電源制御装置１００でこれらの動作を一括して制御させることが可能である。しかし、電源制御対象の１つの装置において、自身と連動すべき他の装置を認識して、これらの連動動作を自律的に制御させてもよい。この場合は、電源制御装置１００の処理負担を軽減することもできる。以下、第２の実施の形態例として、このような電源制御システムについて説明する。
【００６６】
図８は、本発明の第２の実施の形態に係る電源制御システムのシステム構成例を示す図である。なお、図８では、上記の図２に対応する要素には同じ符号を付して示しており、これらについての説明は省略する。
【００６７】
図８に示す電源制御システムは、電源制御装置１００と、電源制御対象のＷｅｂサーバ３１０、アプリケーションサーバ３２０およびデータベースサーバ３４０とが、ネットワーク４００を通じて接続された構成を有している。これらのうち、電源制御装置１００、Ｗｅｂサーバ３１０およびアプリケーションサーバ３２０については、図１に示したもの同じ構成を有している。また、データベースサーバ３４０は、図１に示したデータベースサーバ３３０の有する機能の他に、このデータベースサーバ３４０の切り換え動作のスケジュールを設定して電源制御装置１００に要求する機能と、データベースサーバ３４０に連動させるべきＷｅｂサーバ３１０およびアプリケーションサーバ３２０に対する電源制御の自動実行機能とを具備している。
【００６８】
まず、データベースサーバ３４０において、自身に対する電源の切り換え動作のスケジュールを設定する処理について説明する。
図９は、データベースサーバ３４０におけるスケジュール設定画面の画面表示例を示す図である。
【００６９】
データベースサーバ３４０では、オペレータによる入力操作に応じて、図９に示すような画面が表示されることにより、自身への電源投入および切断のスケジュール予約があらかじめ行われる。図９に示す画面には、電源が投入され、システムが運転される時間を１週間分設定することが可能なスケジュール設定部３４１と、運転時間、停止時間をそれぞれ設定するための運転ボタン３４２およびＯＦＦボタン３４３と、設定した情報をデータベースサーバ３４０に保存するための決定ボタン３４４とが設けられている。
【００７０】
この画面では、オペレータの操作入力により、運転ボタン３４２をクリックして、このボタン内のチェックボックスが選択された状態で、スケジュール設定部３４１内をドラッグ操作することにより、運転時間帯を設定することができる。同様に、ＯＦＦボタン３４３をクリックした状態でスケジュール設定部３４１内をドラッグ操作することで、運転停止時間帯を設定することができる。
【００７１】
そして、設定完了後、決定ボタン３４４をクリックすることにより、設定された情報が保存されるとともに、設定されたスケジュールに基づいて電源制御装置１００に切り換え動作を要求する処理が実行される。
【００７２】
図１０は、データベースサーバ３４０において、設定したスケジュールに基づく電源の切り換え動作を電源制御装置１００に要求するための処理の流れを示すフローチャートである。
【００７３】
ステップＳ１００１において、保存したスケジュールの情報を参照して、次に電源を切断させる時刻を抽出する。ステップＳ１００２において、時刻をカウントして、ステップＳ１００１で抽出した時刻まで、例えばあと５分間といった所定の時間となった場合に、ステップＳ１００３に進む。ステップＳ１００３において、次に電源を切断させる時刻と、次に電源を再投入させる時刻とをスケジュール情報から抽出して、これらを基にした設定情報（装置識別情報、動作識別情報、時刻指定情報）を生成し、電源制御装置１００にネットワーク４００を通じて送信する。
【００７４】
これにより、電源制御装置１００の制御の下で、指定された時刻にデータベースサーバ３４０が自動的にシャットダウンされ、電源供給が切断される。そして、次に指定された時刻に電源供給が再び開始されて、データベースサーバ３４０が自動的に起動する。さらに、起動した後、図１０に示した処理が再び実行される。これにより、データベースサーバ３４０に対する電源制御が、設定したスケジュールに従って自動的に実行される。
【００７５】
なお、以上の図９および図１０を用いて説明した処理は、電源制御対象のサーバが、このサーバ自身に対する電源の切り換え動作のスケジュールを個別に設定可能とするための処理であり、このようなスケジュール設定が、例えばデータベースサーバ３４０だけでなく、他のＷｅｂサーバ３１０やアプリケーションサーバ３２０のそれぞれにおいて行われて、そのスケジュールに従った制御が電源制御装置１００によって実行されてもよい。すなわち、このような制御により、１台の電源制御装置１００を用いて、複数のサーバに対する電源制御をそれぞれ個別に行うことが可能である。
【００７６】
次に、データベースサーバ３４０において、他のサーバの電源制御を連動させるための処理について説明する。図１１は、連動させる他のサーバに対する電源制御設定のための画面表示例を示す図である。
【００７７】
他のサーバに対する電源制御設定画面には、図１１に示すように、他のサーバに対する電源投入、切断の実行間隔を指定するための実行間隔設定部３４５と、制御対象のサーバの追加、設定内容の変更、設定内容の削除をそれぞれ行うための追加ボタン３４６、変更ボタン３４７、削除ボタン３４８、サーバの表示順序をその上部および下部とそれぞれ入れ換えるための順序入れ換えボタン３４９および３５０、設定内容を確定するためのＯＫボタン３５１等が設けられている。
【００７８】
実行間隔設定部３４５では、上部から電源の投入を行う順にサーバ名が設定される。そして、各サーバに対して、データベースサーバ３４０に電源が投入されてからの時間間隔と、これらのサーバへの電源が切断されてからデータベースサーバ３４０への電源が切断されるまでの時間間隔とが設定される。さらに、このような電源の切り換え制御を実行させる電源制御装置１００（図ではＵＰＳと表示）を、例えばＩＰアドレスにより指定することが可能となっている。
【００７９】
なお、電源の切断を行う場合には、実行間隔設定部３４５に表示したサーバについて下側から順に制御が行われる。また、図１１では、各サーバに対する電源の投入間隔として、切断間隔に対応した同じ値が設定されているが、これらの起動やシャットダウンに要する時間に応じて任意の時間間隔を設定することが可能である。
【００８０】
この図１１のような画面に入力が行われ、ＯＫボタン３５１がクリックされると、設定された情報がデータベースサーバ３４０に保存されるとともに、設定された時間間隔に従って、他のサーバに対する電源の切り換え動作を電源制御装置１００に要求する処理が実行される。
【００８１】
図１２は、他のサーバに対する電源の切り換え動作を要求する処理の流れを示すフローチャートである。
図１２のフローチャートの処理は、電源制御装置１００によってデータベースサーバ３４０に対して電源が投入され、データベースサーバ３４０が起動した後に実行される。なお、データベースサーバ３４０自身に対する電源投入および切断スケジュールの設定は、図１０で示した処理に基づく。
【００８２】
ステップＳ１２０１において、図１１で示した画面により設定された電源制御情報を参照して、最も早く電源を投入すべきサーバ（図１１の例ではアプリケーションサーバ３２０）に対して設定された時間間隔を抽出する。ステップＳ１２０２において、時間をカウントし、ステップＳ１２０１で抽出した時間が経過すると、ステップＳ１２０３に進む。
【００８３】
ステップＳ１２０３において、対象のサーバに対する電源の投入を行うように要求する設定情報を生成し、電源制御情報で指定された電源制御装置１００に対して、ネットワークを通じて送信する。この設定情報を受信した電源制御装置１００は、対象のサーバ（ここではアプリケーションサーバ３２０）に対する電源の投入を開始する。これにより、データベースサーバ３４０が起動してから、電源制御情報で設定された時間間隔を置いて、アプリケーションサーバ３２０が起動する。
【００８４】
ステップＳ１２０４において、電源制御情報に設定されたすべてのサーバに対する処理が終了したか否かを判断する。終了していない場合はステップＳ１２０１に戻り、次のサーバ（図１１の例ではＷｅｂサーバ３１０）に対する電源投入を要求するステップＳ１２０１〜Ｓ１２０３の処理が実行される。また、すべてのサーバについて終了した場合は、ステップＳ１２０５に進み、電源の切断を要求するための処理が開始される。
【００８５】
ステップＳ１２０５において、設定した電源制御情報を参照して、最も早く電源供給を切断すべきサーバ（図１１の例ではＷｅｂサーバ３１０）に対して設定された、電源切断のための時間間隔を抽出する。また、上記の図９の画面で設定したデータベースサーバ３４０自身の電源切断スケジュールを参照して、次に電源が切断される時刻を抽出し、この時刻を基に、次に電源の切断を行うサーバ（Ｗｅｂサーバ３１０）についての切断時刻を算出する。
【００８６】
ステップＳ１２０６において、時刻をカウントして、ステップＳ１２０５で算出した時刻になった場合に、ステップＳ１２０７に進む。
ステップＳ１２０７において、対象のサーバに対する電源の切断を行うように要求する設定情報を生成し、電源制御情報で指定された電源制御装置１００に対して、ネットワークを通じて送信する。この設定情報を受信した電源制御装置１００は、対象のサーバ（ここではＷｅｂサーバ３１０）に対する電源供給を停止する。これにより、データベースサーバ３４０への電源切断時から、電源制御情報で設定された時間間隔分だけ前に、Ｗｅｂサーバ３１０がシャットダウンされ、電源供給が停止される。
【００８７】
ステップＳ１２０８において、電源制御情報に設定されたすべてのサーバに対する処理が終了したか否かを判断する。終了していない場合はステップＳ１２０５に戻り、次に電源を切断すべきサーバ（図１１の例ではアプリケーションサーバ３２０）に対する電源切断を要求するステップＳ１２０５〜Ｓ１２０７の処理が実行される。また、すべてのサーバについて終了した場合は、所定時間後に、電源制御装置１００の制御によって、データベースサーバ３４０がシャットダウンされ、電源供給が停止される。
【００８８】
なお、以上のフローチャートは、データベースサーバ３４０が起動してから、シャットダウンするまでの処理について示しているが、図１１に示した設定が行われた後では、シャットダウンするまで、フローチャート中のステップＳ１２０５からの処理が実行される。
【００８９】
このようなデータベースサーバ３４０による処理により、Ｗｅｂサーバ３１０およびアプリケーションサーバ３２０に対する電源の切り換え動作をデータベースサーバ３４０と連動させることができる。また、この際に、各サーバ間の動作に支障をきたさないように、各サーバ間の電源投入および切断のタイミングに所望の間隔を空けることができる。
【００９０】
従って、１つのサーバと１つの電源制御装置との間でのみ設定された制御で、複数のサーバの電源切り換え動作を効率的に連動させることができ、かつ、各サーバに応じた最適な電源自動制御が実現される。
【００９１】
（付記１）  複数の情報処理装置に対する電源供給を制御する電源制御装置において、
前記各情報処理装置に対する電源の投入および切断を個別に切り換える電源供給切り換え部と、
前記各情報処理装置を指定するための装置識別情報と、指定した前記情報処理装置に対する電源の投入または切断のいずれかの切り換え動作を要求するための動作識別情報とを、ネットワークを通じて取得する情報取得部と、
取得した前記装置識別情報に基づいて前記情報処理装置を特定し、特定した前記情報処理装置に対して前記動作識別情報に基づく切り換え動作を実行するように前記電源供給切り換え部を制御する切り換え制御部と、
を有することを特徴とする電源制御装置。
【００９２】
（付記２）  前記装置識別情報および前記動作識別情報は、前記複数の情報処理装置のうちのいずれかから前記ネットワークを通じて送信されることを特徴とする付記１記載の電源制御装置。
【００９３】
（付記３）  前記情報取得部は、前記装置識別情報および前記動作識別情報とともに、前記動作識別情報に基づく切り換え動作を実行させる時刻を指定するための時刻指定情報を取得し、
前記切り換え制御部は、前記時刻指定情報で指定された時刻において、指定された前記情報処理装置に対する前記動作識別情報に基づく切り換え動作を前記電源供給切り換え部に実行させることを特徴とする付記１記載の電源制御装置。
【００９４】
（付記４）  取得した前記装置識別情報および前記動作識別情報に基づく電源の投入および切断の切り換え制御は、電源供給先の前記複数の情報処理装置のそれぞれとの間で独立して実行されることを特徴とする付記１記載の電源制御装置。
【００９５】
（付記５）  前記各情報処理装置に対して前記ネットワークを通じてシャットダウン動作を実行するように指示するシャットダウン指示処理部をさらに有し、前記切り換え制御部は、前記動作識別情報により電源切断が指定されていた場合、前記装置識別情報に基づいて特定した前記情報処理装置に対してシャットダウン動作の実行を指示するように前記シャットダウン指示処理部に要求し、所定時間後に、特定した前記情報処理装置に対する電源供給を切断するように前記電源供給切り換え部を制御することを特徴とする付記１記載の電源制御装置。
【００９６】
（付記６）  前記電源供給切り換え部は、前記各情報処理装置からの前記電源ケーブルが接続される接続端子を有し、
前記切り換え制御部は、あらかじめ設定された前記装置識別情報と前記接続端子との対応テーブルに従って、前記電源供給切り換え部の切り換え動作を制御することを特徴とする付記１記載の電源制御装置。
【００９７】
（付記７）  複数の情報処理装置と、前記各情報処理装置に対する電源供給を制御する電源制御装置とからなる電源供給システムにおいて、
前記各情報処理装置と前記電源制御装置とがネットワークを介して相互に接続され、
前記電源制御装置は、
前記各情報処理装置を指定するための装置識別情報と、指定した前記情報処理装置に対する電源の投入または切断のいずれかの切り換え動作を要求するための動作識別情報とを、前記ネットワークを通じて取得する情報取得部と、
取得した前記装置識別情報に基づいて前記情報処理装置を特定し、特定した前記情報処理装置に対して前記動作識別情報に基づく切り換え動作を実行するように前記電源供給切り換え部を制御する切り換え制御部と、
を有し、
前記複数の情報処理装置のうちの少なくとも１つであるホスト装置は、
前記ホスト装置と連動させて電源を投入させる他の前記情報処理装置を指定するための連動装置識別情報と、前記ホスト装置への電源投入から、前記連動装置識別情報で指定した情報処理装置へ電源を投入するまでの時間間隔を指定する間隔指定情報とを、利用者の入力に応じて設定する連動装置設定部と、
前記ホスト装置に対して電源が投入された後、前記間隔指定情報により指定された時間間隔が経過すると、前記装置識別情報として前記連動装置識別情報で指定した情報処理装置を指定し、前記動作識別情報として電源投入を指定して、指定した前記装置識別情報および前記動作識別情報を前記電源制御装置に前記ネットワークを通じて送信する切り換え動作要求部と、
を有することを特徴とする電源制御システム。
【００９８】
（付記８）  前記電源制御装置において、
前記情報取得部は、前記装置識別情報および前記動作識別情報とともに、前記動作識別情報に基づく切り換え動作を実行させる時刻を指定するための時刻指定情報を取得し、
前記切り換え制御部は、前記時刻指定情報で指定された時刻において、指定された前記情報処理装置に対する前記動作識別情報に基づく切り換え動作を前記電源供給切り換え部に実行させ、
前記ホスト装置において、
前記切り換え動作要求部は、前記装置識別情報、前記動作識別情報および前記時刻指定情報により、前記ホスト装置自身への電源投入および切断を実行させる時刻を、前記電源制御装置に対してあらかじめ設定するとともに、設定した前記電源切断の実行時刻を保持し、前記実行時刻までの時間が前記連動間隔情報で指定した時間間隔になると、対応する前記連動装置識別情報で指定された前記情報処理装置に対して電源の切断を行うように、前記装置識別情報および前記動作識別情報を用いて前記電源制御装置に要求する、
ことを特徴とする付記７記載の電源制御システム。
【００９９】
（付記９）  ネットワークに接続した複数の情報処理装置に対する電源供給を制御するための電源制御方法において、
前記各情報処理装置を指定するための装置識別情報と、指定した前記情報処理装置に対する電源の投入または切断のいずれかの切り換え動作を要求するための動作識別情報とを、前記複数のうちのいずれかの情報処理装置からネットワークを通じて取得し、
取得した前記装置識別情報によって指定された前記情報処理装置に対して、前記動作識別情報に基づいて電源の投入または切断を行う、
ことを特徴とする電源制御方法。
【０１００】
【発明の効果】
以上説明したように、本発明の電源制御装置では、ネットワークを通じて装置識別情報および動作識別情報が取得され、装置識別情報で指定された情報処理装置に対し、動作識別情報による指定に従って電源の投入または切断が個別に行われる。このため、１台の電源制御装置を用いて、複数の情報処理装置に対する電源制御を個別に行うことができ、装置コストや設置スペースを抑制することができる。また、例えば、装置識別情報および動作識別情報とともに、動作識別情報に基づく切り換え動作を実行させる時刻を指定するための時刻指定情報を取得し、時刻指定情報で指定された時刻において、指定された情報処理装置に対する動作識別情報に基づく切り換え動作を電源供給切り換え部に実行させてもよい。この場合、例えば各情報処理装置への電源投入や切断のタイミングに間隔を空ける等、各装置に最適な電源制御を行うことが可能となる。
【０１０１】
また、本発明の電源制御システムでは、ホスト装置の電源が投入された後、ホスト装置からは、所定の時間間隔を空けて、このホスト装置に連動させるべき他の情報処理装置の電源を投入する要求が電源制御装置に対してネットワークを通じて発せられ、この要求に応じて、指定された他の情報処理機器への電源投入が順次行われる。このため、電源制御装置の装置コストや設置スペースが増大することなく、各情報処理装置に応じた最適なタイミングで電源が投入されるような自動制御を、容易に実現することが可能となる。
【０１０２】
さらに、本発明の電源制御方法では、装置識別情報および動作識別情報とがいずれかの情報処理装置からネットワークを通じて取得され、取得した装置識別情報によって指定された情報処理装置に対して、動作識別情報に基づく電源の投入または切断の動作が個別に行われる。従って、複数の情報処理装置に応じた最適な電源制御を一括して行うことができ、装置コストや設置スペースを抑制し、電源制御を効率化することができる。
【図面の簡単な説明】
【図１】本発明の第１の実施の形態に係る電源制御装置の内部構成を示すブロック図である。
【図２】本発明の第１の実施の形態に係る電源制御システムのシステム構成例を示す図である。
【図３】装置対応テーブルに格納されるデータの例を示す図である。
【図４】制御ホスト装置における電源制御の設定画面の表示例を示す図である。
【図５】電源の投入または切断を即時行うように指示された場合の電源制御装置の処理の流れを示すフローチャートである。
【図６】予約情報テーブルに格納されるデータの例を示す図である。
【図７】電源の投入または切断の予約が設定されている場合の電源制御装置の処理の流れを示すフローチャートである。
【図８】本発明の第２の実施の形態に係る電源制御システムのシステム構成例を示す図である。
【図９】データベースサーバにおけるスケジュール設定画面の画面表示例を示す図である。
【図１０】データベースサーバにおいて、設定したスケジュールに基づく電源の切り換え動作を電源制御装置に要求するための処理の流れを示すフローチャートである。
【図１１】連動させる他のサーバに対する電源制御設定のための画面表示例を示す図である。
【図１２】他のサーバに対する電源の切り換え動作を要求する処理の流れを示すフローチャートである。
【図１３】電源制御装置を用いた従来の電源制御システムの構成例を示す図である。
【符号の説明】
１００  電源制御装置
１１０  情報取得部
１２０  切り換え制御部
１３０  予約管理部
１４０  情報記憶部
１４１  装置対応テーブル
１４２  予約情報テーブル
１５０  電源供給切り換え部
１５０ａ  バッテリ
１５１〜１５５  コンセント端子
１６０  シャットダウン処理部
２００  制御ホスト装置
３１０  Ｗｅｂサーバ
３２０  アプリケーションサーバ
３３０  データベースサーバ
３１０ａ、３２０ａ、３３０ａ  電源ケーブル
【図１】
2004259030.tif 000003
【図２】
2004259030.tif 000004
【図３】
2004259030.tif 000005
【図４】
2004259030.tif 000006
【図５】
2004259030.tif 000007
【図６】
2004259030.tif 000008
【図７】
2004259030.tif 000009
【図８】
2004259030.tif 000010
【図９】
2004259030.tif 000011
【図１０】
2004259030.tif 000012
【図１１】
2004259030.tif 000013
【図１２】
2004259030.tif 000014
【図１３】
2004259030.tif 000015